(57)【要約】      （修正有）【課題】操作箇所に応じて任意の音階の音を発生させることができ、玩具への興味を継続させることができる発音玩具を提供する。【解決手段】発音玩具１００は、発振回路及びスピーカを内蔵する本体部１０と、上記本体部１０から棒状に延設された棒状操作部２０とを有し、その棒状操作部２０には押圧箇所により抵抗値変化が生じる帯状のフィルムによる入力手段を有し、その入力手段の上記抵抗値変化により上記発振回路の発振周波数を変化させて音階の異なる音を発し、本体部１０の軟質樹脂製のカバー１１の切込み部を開閉させることにより音質や音色を変化させることができる。【選択図】図１
0003153498.tif 000002
【実用新案登録請求の範囲】
【請求項１】
発振回路及びスピーカを内蔵する本体部と、
前記本体部から棒状に延設された棒状操作部と、
を有し、
前記棒状操作部には押圧箇所により抵抗値を変化させる帯状のフィルムによる入力手段を有し、該入力手段の前記抵抗値変化により前記発振回路の発振周波数を変化させて音階の異なる音を発することを特徴とする発音玩具。
【請求項２】
前記入力手段の前記抵抗値変化は連続的変化とされていることを特徴とする請求項１に記載の発音玩具。
【請求項３】
前記本体部は、中空の軟質樹脂製のカバーを有し、該カバーは切込み部を有して外部からの押圧により該切込み部を開閉可能とされ、開閉により音質を変化させることを特徴とする請求項１又は請求項２に記載の発音玩具。
【請求項４】
前記本体部には、前記切込み部の方向と平行に弾性体を内蔵して前記カバーを押し広げることにより前記切込み部が閉じた状態を維持させていることを特徴とする請求項３に記載の発音玩具。
【考案の詳細な説明】
【技術分野】
【０００１】
本考案は音を発生させる玩具であって、操作箇所に応じて任意の音階の音を発生させる玩具に関する。
【背景技術】
【０００２】
従来、任意の音を出力させることができる玩具は、ピアノを連想させる外観構成にすることにより鍵盤が押された時に鍵盤に該当する音階の音を出力する。または、異なる絵柄が描かれた鍵盤に特定の音階の音を関連付けさせ、鍵盤が押されたことによって対応する音階の音を出力するものがあった。
【０００３】
下記に示す特許文献１には、鍵盤がさまざまな色に光るようにし、その光の色により使用者に対して演奏のために押すべき鍵盤を案内する玩具が開示されている。
【先行技術文献】
【特許文献】
【０００４】
【特許文献１】特開２００８−１９７２８１号公報
【考案の概要】
【考案が解決しようとする課題】
【０００５】
しかしながら特許文献１に示す玩具は、使用者が光る鍵盤を押すことにより演奏を奏でるのを容易にしているに過ぎず、また鍵盤楽器の演奏方法を習得するための入門楽器に過ぎなかった。それゆえ使用者が鍵盤を光らせなくても演奏ができるようになると、玩具が飽きられるという課題があった。
【０００６】
本考案は上述したような従来技術の問題点を鑑みてなされたものであり、音を出力させる玩具として飽きずに楽しく遊ぶことができ、玩具への興味を継続させることが可能な発音玩具を提供することを目的とする。
【課題を解決するための手段】
【０００７】
本考案の発音玩具は、発振回路及びスピーカを内蔵する本体部と、前記本体部から棒状に延設された棒状操作部とを有し、前記棒状操作部には押圧箇所により抵抗値を変化させる帯状のフィルムによる入力手段を有し、該入力手段の前記抵抗値変化により前記発振回路の発振周波数を変化させて音階の異なる音を発することを特徴とする。
【０００８】
また、前記入力手段の前記抵抗値変化は連続的変化とされていることを特徴とする。
【０００９】
更に、前記本体部は、中空の軟質樹脂製のカバーを有し、該カバーは切込み部を有して外部からの押圧によりその切込み部を開閉可能とされていることを特徴とする。
【００１０】
また、前記本体部には、前記切込み部の方向と平行に弾性体を内蔵して前記カバーを押し広げることにより前記切込み部が閉じた状態を維持させていることを特徴とする。
【考案の効果】
【００１１】
本考案によれば、音を出力させる玩具として飽きずに楽しく遊ぶことができ、玩具への興味を継続させることが可能な発音玩具を提供することができる。
【図面の簡単な説明】
【００１２】
【図１】本考案に係る発音玩具の正面斜視図である。
【図２】本考案に係る発音玩具の背面斜視図である。
【図３】本考案に係る発音玩具の分解斜視図である。
【図４】本考案に係る発音玩具の回路ブロック図である。
【図５】本考案に係る発音玩具の操作に関する説明図である。（その１）
【図６】本考案に係る発音玩具の操作に関する説明図である。（その２）
【考案を実施するための形態】
【００１３】
本考案を実施するための形態の発音玩具100は、発振回路45及びスピーカ15を内蔵する本体部10と、その本体部10から棒状に延設された棒状操作部20とを有し、その棒状操作部20には押圧箇所により抵抗値を変化させる帯状のフィルムによる入力手段43を有し、その入力手段43の上記抵抗値変化により上記発振回路45の発振周波数を変化させて音階の異なる音を発し、本体部10の軟質樹脂製のカバー11の切込み部を開閉させることにより音質や音色を変化させることができることを特徴とする。
【実施例】
【００１４】
以下、本考案の実施形態について図を用いて説明する。図１は、本考案に係る発音玩具100の正面斜視図である。
【００１５】
図１に示すように発音玩具100は、音符を模しており本体部10、棒状操作部20及び先端装飾部30からなる。
【００１６】
本体部10は、音符の符頭部分を示し形状が楕円半球体をなしており、図１に示した姿勢で立てるように置くことが可能なように底面が平坦とされている。本体部10の正面は、軟質樹脂製のカバー11で覆われている。軟質樹脂製のカバー11には、おたまじゃくしを模した顔が形成されており、目12が描かれていると共に、軟質樹脂製のカバー11には切込みが設けられて口13が形成されている。使用者が指で口13の切込みの両端後方に位置する２箇所に形成された支持部14又はその近辺を挟持するようにして両側から押圧することにより口13が開口する。
【００１７】
棒状操作部20は、本体部10の後端上面から上方に延設される略円柱棒形状であって、音符の符幹部分を示し、正面に押圧可能なタッチ部21を有する。タッチ部21は、表面がフィルム状の材質で、範囲が上部から下部まで全長２０ｃｍ程、幅１ｃｍ程である。棒状操作部20のタッチ部21以外は、硬質の樹脂で覆われている。発音玩具100は、使用者が棒状操作部20のタッチ部21を押圧することにより特定の音階の音を発音する。そして押圧箇所を上から下に変更することにより「ド、レ、ミ・・・」などのように発音される音の音階が変更される。
【００１８】
なお、棒状操作部20やタッチ部21は、その長さや範囲を上述のものに限ることなく全長をより長く、又は短くすることもある。そして、タッチ部21は、全長を長くする場合などには「ド、レ、ミ・・・」などのように発音される音階とは別に特殊音を発音させる範囲を用意することにより、発音玩具100が特殊音を発音できるようにしても構わない。
【００１９】
先端装飾部30は、棒状操作部20の先端に設けられて音符の符尾部分を示し、表面が硬質の樹脂で覆われている。また、先端装飾部30は、発音玩具100を横にして演奏できるように棒状操作部20との結合部である符尾結合部31において左右に回転可能である。
【００２０】
次に、発音玩具100の背面にあるスイッチについて説明する。図２は、本考案に係る発音玩具100の背面斜視図である。図２に示すように発音玩具100の背面には、電池交換用に開閉可能な電池蓋32、玩具本体の電源オンオフを切り換える電源スイッチ33及び音程を「高、中、低」に切り換え可能な音程スイッチ34が適宜配設されている。
【００２１】
次に、この発音玩具100の内部構成について説明する。図３は、本考案に係る発音玩具100の分解斜視図である。図１、図２と併せて発音玩具100の内部構成について説明する。
【００２２】
図３に示すように発音玩具100の本体部10の内部には、スピーカ15、電池格納部16、回路基板17及びスプリング軸ユニット18を有する。また、本体部10の正面は、口13に切込みがなされた軟質樹脂製のカバー11で覆われており、背面は硬質材の後部カバー51a、51bで覆われている。図３に示したカバー11は、楕円半球体で内部が中空である。
【００２３】
スピーカ15は、回路基板17に接続されており回路基板17からの出力信号により音を発する。スピーカ15は、スピーカカバー52により覆われるように固定されている。電池格納部16は、図２に示した電池蓋32の開閉により電池が格納される。
【００２４】
回路基板17には、無安定マルチバイブレータ等の発振回路による音出し回路が実装されており、音出し回路はトランジスタ、抵抗、コンデンサ及びスイッチで構成されている。
【００２５】
スプリング軸ユニット18は、両端に押圧可能な支持可動部材19を有する。また、スプリング軸ユニット18は、ユニット内にばね材を有しており、通常状態において、スプリング軸ユニット18の両端にある支持可動部材19が、ばね材の戻り方向の力により両端に広がる方向に加圧されている。また、支持可動部材19は、本体部10表面を覆うカバー11において突出模様又はマークを描くことにより形成された支持部14の内側に配設される。
【００２６】
カバー11の口13は、使用者により支持部14が押圧されていなければ、スプリング軸ユニット18が内部に有するばね材により支持可動部材19が両端に広がる方向に加圧されているため、軟質樹脂製のカバー11を変形させることがなく、閉じた状態とされている。一方、使用者によりカバー11の両端の支持部14を指等で押圧することにより軟質樹脂製のカバー11の横幅を挟めるようにして変形させると、切込みにより形成されたカバー11の口13が開口された状態とされる。
【００２７】
図３に示した発音玩具100のタッチ部21は、タッチ部カバー23及び可変抵抗22と共に、タッチ部ベース24に格納される。
【００２８】
可変抵抗22は、積層された１枚の帯状フィルムを折り返して又は略同一のものを重ねて２重とし、この帯状フィルムにはカーボン等からなる抵抗体層が形成され、折り返し又は重ねた際には、復路と往路の抵抗体層の間に僅かな隙間が形成されているものである。また、可変抵抗22の帯状フィルムの両端には、抵抗体層に接続された引出し線22a、22bが設けられ、この引出し線22a、22bは、折り返した帯状フィルムの下端から突出している。そして、この可変抵抗22は、下方に突出した引出し線22a、22bが回路基板17に直接半田付けされると共に、表面をタッチ部21で覆設されることにより使用者の指先などからの直接的な接触が防止される。
【００２９】
このようにして、使用者がタッチ部21を押圧することにより、可変抵抗22である折り返した帯状フィルムの復路と往路の抵抗体層が互いに接触してスイッチ用の開閉接点を閉じることとなり、タッチ部21の押圧する箇所に応じて可変抵抗22の引出し線22a、22bから開閉接点までの長さが変化する。この長さの変化に応じて抵抗値が変化することとなる。
【００３０】
そして、可変抵抗22を覆設するタッチ部21は、使用者が演奏する時に押圧する部分であることから触り心地をよくするために梨地加工等の表面処理が施される。
【００３１】
又、タッチ部カバー23は、硬質樹脂製で、平板で四角く細長い形状をした枠の形状をし、タッチ部ベース24に格納されたタッチ部21及び可変抵抗22を固定させるものである。
【００３２】
更に、タッチ部ベース24は、硬質樹脂製で、細長い半円柱の形状をし、タッチ部21及び可変抵抗22を格納させるための溝を中央に有する箱状のものである。
【００３３】
次に、発音玩具100の回路構成について説明する。図４は、本考案に係る発音玩具100の回路ブロック図である。
【００３４】
発音玩具100の回路は、電池41、電源スイッチ33、音域設定部42、入力手段43、音量設定部44、発振回路45、増幅部46及びスピーカ15からなる。
【００３５】
電池41は、発音玩具100の回路における電源である。なお、発音玩具100の電源は、電池41の代わりにＡＣアダプタによる定電圧の供給方式にしても構わない。電源スイッチ33は、電源電圧を印加させるか否かの開閉手段である。
【００３６】
音域設定部42は、発振回路45における発振周波数を設定するための抵抗値及びコンデンサ容量を切り換える部分であり、本体部10の背面に設けた音程スイッチ34により抵抗値及びコンデンサ容量を切り換えて発振周波数を設定する。入力手段43は、棒状操作部20のタッチ部21に内設された可変抵抗22であり、使用者の押圧箇所に応じて抵抗値を変化させて発振回路45における発振周波数を変化させる手段である。
【００３７】
音量設定部44は、増幅部46における電流増幅率を変化させる部分であり、スイッチ35の開閉により音量を変化させることができる。このスイッチ35は、電源スイッチ33をオン状態として位置をずらすことにより開閉されるものでも構わない。
【００３８】
発振回路45は、スピーカ15から音を発生させるための回路である。無安定マルチバイブレータによる発振回路45では、抵抗値及びコンデンサ容量を変更することにより、発振周波数を変更する。また、発振回路45には、無安定マルチバイブレータの出力信号の波形を矩形波から正弦波にする波形成形回路を設けている。
【００３９】
発振周波数は、音程スイッチ34の「中」設定であれば、入力手段43の抵抗値変化により基準音である２６１Ｈｚ程度（ドの音）を含む約２オクターブの音階範囲で無段階に変化される。また、発振周波数は、音程スイッチ34を「高」に設定して抵抗値及びコンデンサ容量を切り換えると、例えばアルト又はソプラノ領域の高音域にシフトさせることができ、音程スイッチ34を「低」に設定すれば、例えばテノール又はバリトンの領域の低音域にシフトさせることができる。
【００４０】
増幅部46は、発振回路45における出力電流を増幅させる部分でスピーカを発音させるのに必要な電力を出力する。増幅部46は、音量設定部44のスイッチ35の開閉により電流増幅率を変化させる。
【００４１】
次に、発音玩具100の使用法について説明する。図５及び図６は、本考案に係る発音玩具100の操作に関する説明図である。発音玩具100の使用法について図２、図５及び図６を用いて説明する。
【００４２】
使用者が、図２に示した発音玩具100の背面にある電源スイッチ33をオンにすることにより発音玩具100は待機状態になる。次に使用者が、図２に示した発音玩具100背面にある音程スイッチ34を「高・中・低」の何れか１つに設定する。
【００４３】
発音玩具100は、図５及び図６に示したように棒状操作部20のタッチ部21を指先で押圧することにより上述した発振回路45を起動させスピーカ15が発音する。発音玩具100は、上述した音程スイッチ34の「高・中・低」何れか１つの設定と、使用者により押圧された棒状操作部20のタッチ部21の押圧箇所と、に応じて発振回路45の発振周波数が設定され、その発振周波数に基づいてスピーカ15から出力される音階の音が定まることになる。
【００４４】
そして出力される音は、使用者がカバー11の口13を開閉させることにより本体部10内での音のこもり方が変化し音質や音色を変化させる。
【００４５】
なお、使用者は、発音玩具100を楽器としての利用法以外に音符の形状をした装飾玩具として、飾って楽しむこともできる。
【００４６】
更に、使用者は、発音玩具100を図５で示したように縦位置で使用すれば、縦笛又はトランペットを操作しているかのようであり、図６で示したように横位置で使用すれば、鍵盤楽器を操作しているかのように使用できる。すなわち、使用者は、発音玩具100を電子楽器であるにも関わらず管楽器及び鍵盤楽器のように操作して楽しむことができる。
【００４７】
また、使用者は、発音玩具100の入力手段43により無段階に音階を変化させて音を発することができることにより、例えば半音未満の異なる音を発することができ、より音階の微妙な違いを楽しむことができる。
【００４８】
更に、使用者は、発音玩具100の入力手段43の押圧箇所を連続的に移動させて連続的に音階を変化させた音を発音させることにより、瞬時に様々な音階の音を楽しむことができると共に、口13を開閉させることにより音の音質や音色及び音の大きさを変化させて遊ぶことができる。
【００４９】
なお、本体部10は楕円球形状とする場合に限ることなく、球形、立方体形などとすることができ、更に外周面に適宜の突出部を形成してキャラクタの顔を表現することもある。
【００５０】
更に、発音玩具100の出力する音階は、本実施例に限らず発振回路45の発振周波数を変更設定することにより、例えば音域を広げることも狭めることも可能であり、更に、より高音域又はより低音域にシフトさせることも可能である。
【００５１】
また、発振回路45に組み込む波形成形回路により、基調となる音色の変更設定が可能になり、更に、発振回路45と共に音声ＩＣを組み込み、入力手段として可変抵抗等の抵抗値によって、音源を発振回路45から音声ＩＣに切り替えるように変更することにより、動物の鳴き声やエンジン音等の様々な音色に変更することも可能になる。
【００５２】
本考案によれば、音を出力させる玩具として飽きずに楽しく遊ぶことができ、しかも装飾品としての価値を有することで玩具への興味を継続させることが可能な発音玩具を提供することができる。
【００５３】
なお、本考案は、以上の実施例に限定されるものでなく、考案の要旨を逸脱しない範囲で自由に変更、改良が可能である。
【符号の説明】
【００５４】
10  本体部                              11  カバー
12  目                                  13  口
14  支持部                              15  スピーカ
16  電池格納部                          17  回路基板
18  スプリング軸ユニット                19  支持可動部材
20  棒状操作部                          21  タッチ部
22  可変抵抗                            22a、22b  引出し線
23  タッチ部カバー                      24  タッチ部ベース
30  先端装飾部                          31  符尾結合部
32  電池蓋                              33  電源スイッチ
34  音程スイッチ                        35  スイッチ
41  電池                                42  音域設定部
43  入力手段                            44  音量設定部
45  発振回路                            46  増幅部
51a、51b  後部カバー                    52  スピーカカバー
100  発音玩具
【図１】
0003153498.tif 000003
【図２】
0003153498.tif 000004
【図３】
0003153498.tif 000005
【図４】
0003153498.tif 000006
【図５】
0003153498.tif 000007
【図６】
0003153498.tif 000008
【手続補正書】
【提出日】平成21年7月6日(2009.7.6)
【手続補正１】
【補正対象書類名】実用新案登録請求の範囲
【補正対象項目名】請求項１
【補正方法】変更
【補正の内容】
【請求項１】
発振回路及びスピーカを内蔵する本体部と、
前記本体部から棒状に延設された棒状操作部と、
を有し、
前記棒状操作部には押圧箇所により抵抗値変化が生じる帯状フィルムとされた入力手段を有し、該入力手段の前記抵抗値変化により前記発振回路の発振周波数を変化させて音階の異なる音を発することを特徴とする発音玩具。
【手続補正２】
【補正対象書類名】明細書
【補正対象項目名】０００７
【補正方法】変更
【補正の内容】
【０００７】
本考案の発音玩具は、発振回路及びスピーカを内蔵する本体部と、前記本体部から棒状に延設された棒状操作部とを有し、前記棒状操作部には押圧箇所により抵抗値変化が生じる帯状フィルムとされた入力手段を有し、該入力手段の前記抵抗値変化により前記発振回路の発振周波数を変化させて音階の異なる音を発することを特徴とする。